(57)【要約】【課題】補聴器の空気電池の保存性を高めることで、使い勝手を良くすることを目的とする。【解決手段】本発明は、把持部６を持って保持部８Ａを、補聴器１から電池ケース２が引き出された状態の電池ケース収納部７に挿入すれば、蓋部９Ａによって、前記電池ケース収納部７から引き出された電池ケース２に収納された空気電池３の空気孔４側を覆うことが出来るので、補聴器１から空気電池３を取り出すことなく、空気電池３の空気孔４を塞ぐことができる。  つまり本発明においては、把持部６を持って保持部８Ａを電池ケース収納部７に挿入するだけで空気電池３の空気孔４を塞ぐことができるので、細かな作業は不要で、その結果として、使い勝手を向上させることが出来るのである。【選択図】図１
2014045477.tif 000002
【特許請求の範囲】
【請求項１】
電池ケース収納部に電池ケースが引き出し自在に収納され、この電池ケースには空気電池が収納された状態となる補聴器の保管時に使用する補聴器用保管補助具であって、
手で支持する把持部と、
この把持部に連結されると共に前記補聴器から電池ケースが引き出された状態の電池ケース収納部に挿入され、この補聴器を保持する保持部と、
前記電池ケース収納部から引き出された電池ケースに収納された空気電池の空気孔側を覆う蓋部と、
を備えた補聴器用保管補助具。
【請求項２】
前記蓋部として第一の磁石を備える請求項１に記載の補聴器用保管補助具。
【請求項３】
前記蓋部として弾性部材を備える請求項１に記載の補聴器用保管補助具。
【請求項４】
前記蓋部と前記保持部の連結部には、前記蓋部と直交する方向に第二の磁石が備えられる請求項１記載の補聴器用保管補助具。
【請求項５】
前記把持部は略リング形状をしている請求項１記載の補聴器用保管補助具。
【請求項６】
前記補聴器の前記電池ケースは第一ガイド面を有し、この第一ガイド面に案内されて、前記保持部を前記電池ケース収納部に挿入させる第二ガイド面を備えた請求項１に記載の補聴器用保管補助具。
【請求項７】
前記保持部は、前記電池ケース収納部に挿入された状態において、前記保持部と前記電池ケース収納部との間に隙間がほぼ生じない大きさとしている請求項１に記載の補聴器用保管補助具。
【請求項８】
前記保持部は、前記電池ケース収納部に挿入された状態において、前記補聴器の内空間と外空間を繋げる空間連結部を備えた請求項１に記載の補聴器用保管補助具。
【請求項９】
前記保持部を前記電池ケース収納部に挿入した状態において、前記補聴器の前記電池ケースを前記蓋部と挟み込むように形成された台部を有し、この台部には、前記保持部を前記電池ケース収納部に挿入した状態において、前記空気電池の底面を押し上げる凸部を備えた請求項１に記載の補聴器用保管補助具。
【請求項１０】
前記補聴器の前記電池ケースは、電池挿入底面に貫通孔を有し、前記保持部を前記電池ケース収納部に挿入した状態において、前記凸部は、前記貫通孔に嵌まり込む形状としている請求項１に記載の補聴器用保管補助具。
【発明の詳細な説明】
【技術分野】
【０００１】
本発明は、補聴器未使用時に、補聴器内に装着された空気電池の劣化を抑えながら保管する補聴器用保管補助具に関する。
【背景技術】
【０００２】
補聴器は、空気電池と呼ばれる一次電池が使用されている。この空気電池は、良く知られているように、空気孔から空気を取り入れ化学反応を起こすことで電力が発生するものである。
【０００３】
上記化学反応が起きている状態では電池容量が減少していくので、補聴器未使用時においては、電池の消耗を防ぐ目的で本体ケースの外面に設けた操作体により、スイッチング手段を開放するとともに、空気電池の空気口を蓋部で閉成することが提案されている（例えば特許文献１参照）。
【先行技術文献】
【特許文献】
【０００４】
【特許文献１】特開昭５９−２２８３５５号公報
【発明の概要】
【発明が解決しようとする課題】
【０００５】
上記従来例においては、操作体は本体ケースの外面に設けられるが、補聴器の小型化によってこの操作体も必然的に小さくなってしまう。ところが、補聴器使用者の多くは高齢者が多いため、このような小さな操作体は扱いづらく、使い勝手の悪いものであった。
【０００６】
そこで、本発明は、補聴器に空気電池を装着した状態のまま、空気電池の保存性を高めることで、使い勝手を良くすることを目的とするものである。
【課題を解決するための手段】
【０００７】
そしてこの目的を達成するために、本発明は、電池ケース収納部に電池ケースが引き出し自在に収納され、この電池ケースには空気電池が収納された状態となる補聴器の保管時に使用する補聴器用保管補助具であって、手で支持する把持部と、この把持部に連結されると共に前記補聴器から電池ケースが引き出された状態の電池ケース収納部に挿入され、この補聴器を保持する保持部と、前記電池ケース収納部から引き出された電池ケースに収納された空気電池の空気孔側を覆う蓋部と、を備えた構成とし、これにより、所期の目的を達成するものである。
【発明の効果】
【０００８】
以上のように本発明は、電池ケース収納部に電池ケースが引き出し自在に収納され、この電池ケースには空気電池が収納された状態となる補聴器の保管時に使用する補聴器用保管補助具であって、手で支持する把持部と、この把持部に連結されると共に前記補聴器から電池ケースが引き出された状態の電池ケース収納部に挿入され、この補聴器を保持する保持部と、前記電池ケース収納部から引き出された電池ケースに収納された空気電池の空気孔側を覆う蓋部と、を備えた構成としたので、使い勝手の良いものとすることが出来る。
【０００９】
すなわち、本発明においては、把持部を持って保持部を、前記補聴器から電池ケースが引き出された状態の電池ケース収納部に挿入すれば、蓋部によって、前記電池ケース収納部から引き出された電池ケースに収納された空気電池の空気孔側を覆うことが出来るので、補聴器から空気電池を取り出すことなく、空気電池の空気孔を塞ぐことができる。
【００１０】
つまり本発明においては、把持部を持って保持部を電池ケース収納部に挿入するだけで空気電池の空気孔を塞ぐことができるので、細かな作業は不要で、その結果として、使い勝手を向上させることが出来るのである。
【図面の簡単な説明】
【００１１】
【図１】本発明の実施の形態１における補聴器用保管補助具の使用状態を説明する斜視図
【図２】同補聴器用保管補助具の使用状態を説明する斜視図
【図３】同補聴器用保管補助具の底面図
【図４】同補聴器用保管補助具の使用状態を説明する断面図
【図５】同補聴器用保管補助具の使用形態を説明する斜視図
【図６】本発明の実施の形態２における補聴器用保管補助具の使用状態を説明する斜視図
【図７】同補聴器用保管補助具の使用状態を説明する側面方向の断面図
【図８】同補聴器用保管補助具の使用状態を説明する平面方向の断面図
【図９】同補聴器用保管補助具の斜視図
【図１０】同補聴器用保管補助具の正面図
【図１１】同補聴器用保管補助具の使用状態を説明する平面方向の断面図
【発明を実施するための形態】
【００１２】
以下に、本発明の補聴器用保管補助具の実施の形態を図面とともに詳細に説明する。
【００１３】
（実施の形態１）
図１は、本発明の実施形態における斜視図である。
【００１４】
補聴器１は耳孔に装着する耳穴タイプの補聴器であり、この補聴器１の電池ケース収納部７から電池ケース２を開放状態にしており、電池ケース２には空気電池３が収納されている。そして、この空気電池３には、空気を取り入れるための空気孔４が設けられている。
【００１５】
この空気電池３は、電池ケース２への電池挿入側に空気孔４が露出する方向に入れられている。
【００１６】
また、補聴器１から電池ケース２を開放した状態では、補聴器１内に電池ケース２を収納する空間である、上記電池ケース収納部７が現れる。
【００１７】
補聴器用保管補助具５は、手で持つためにリング形状をした把持部６と、この把持部６に連結され、電池ケース収納部７に挿脱可能に形成された保持部８Ａと、補聴器１を補聴器用保管補助具５に装着した際に空気電池３の空気孔４を覆う位置に配置した蓋部９Ａが備えられている。
【００１８】
さらに把持部６の外周で、保持部８Ａ、蓋部９Ａと対称となる位置に保持部８Ｂ、蓋部９Ｂが備えられている。これは、両耳用に２台の補聴器１を使用している使用者には、これら２台の補聴器１を同時に補聴器用保管補助具５に装着できるようにするためである。
【００１９】
次に、図２を用いて把持部６の説明をする。
【００２０】
図２においては、把持部６を、人差し指と親指で摘んでいる状態を表している。このように、把持部６をリング形状にすることで、補聴器用保管補助具５を持ちやすくすることができ、また、人差し指をリング内部に引っ掛けることができるので、特に補聴器１から補聴器用保管補助具５を抜脱するときに効果的である。
【００２１】
なお、本実施形態では、把持部６をリング形状としたが、Ｃ形状の様に一部切断されている形にしても良いし、棒形状にして、補聴器１を補聴器用保管補助具５から抜脱するときに、指に引っかかる凸部を設けても良い。
【００２２】
次に、図３、図４を用いて、補聴器用保管補助具５に補聴器１を装着した状態での、空気電池３の保存形態について説明する。なお、前述の通り、補聴器用保管補助具５には２台の補聴器１と取り付けられるようになっているが、どちらも構造は同じであるため、説明簡略化のため片側に関してのみ説明する。
【００２３】
図３のごとく、蓋部９Ａの底面には、蓋部の一例として磁石１０Ａが備えられ、その磁石１０Ａに隣接した把持部６の側面にも磁石１０Ａに直交した方向に磁石１１Ａが備えられている。
【００２４】
補聴器１に補聴器用保管補助具５を装着した際、空気電池３の真上になるように磁石１０Ａが位置している（図４参照）。従って、補聴器１を補聴器用保管補助具５に装着した際には、空気電池３が磁石１０Ａに吸着されることにより空気孔４が磁石１０Ａに塞がれ、空気電池３の消耗を防ぐことが出来るのである。
【００２５】
磁石１１Ａは、把持部６の側面に磁石１０Ａに直交する方向に取り付けられている。これにより、空気電池３の側面側が磁石１１Ａに吸い付けられ、補聴器１を補聴器用保管補助具５に装着した際に、電池ケース２を安定して固定させることが出来る（図４参照）。
【００２６】
なお、把持部６の外周で、保持部８Ａ、蓋部９Ａと対称となる位置に備えられた蓋部９Ｂの底面には、磁石１０Ｂが備えられ、その磁石１０Ｂに隣接した把持部６の側面にも磁石１０Ｂに直交する方向に磁石１１Ｂが備えられており、上述した磁石１０Ａおよび磁石１１Ａと同様の効果を奏する。
【００２７】
また、本実施形態では、空気電池３の空気孔４を塞ぐ蓋部として、磁石１０Ａを用いたが、この磁石１０Ａに代え、シリコンゴムなどの弾性部材を蓋部９Ａの底面に配置しても良い。
【００２８】
一般的に補聴器未使用時においては、補聴器１の湿気を除去するための補聴器乾燥ケース１２（図５参照）に入れて保存することになるが、本実施形態の補聴器用保管補助具５を補聴器１に装着することによって、補聴器１から空気電池３を取り外すことなく、補聴器乾燥ケース１２に収納保管することも出来、極めて使い勝手の良いものとなる。
【００２９】
（実施の形態２）
また、図６に示すごとく、補聴器用保管補助具５の保持部８Ａを電池ケース収納部７に挿入する場合には、電池ケース２を電池ケース収納部７から引き出した状態において電池ケース２の外周側面に設けた第一ガイド面１３に保持部８Ａの端面に設けた第二ガイド面１４を押し当てた状態でスライドさせながら保持部８Ａを電池ケース収納部７に挿入させる。
【００３０】
すなわち、電池ケース２の外周側面がガイドとして機能して、保持部８Ａを電池ケース収納部７に挿入させているのである。
【００３１】
これにより、使用者が容易に保持部８Ａを電池ケース収納部７に挿入させることができる。そして、電池ケース２を補聴器用保管補助具５の蓋部９Ａの下に容易に挿入でき、確実に蓋部９Ａの下面側に配設されている磁石１０Ａ（図７参照）の下に挿入できるのである。
【００３２】
また、第一ガイド面１３は、その面に垂直方向の力が作用した場合に電池ケース２が電池ケース収納部７から引き出される方向に設けられている。
【００３３】
つまり、例えば、本実施形態においては、図８に示すように電池ケース２は回転軸１５を中心に回転して電池ケース収納部７から引き出されるようにしている。したがって、回転軸１５の回転中心と電池ケース２の中心１６を結ぶ線よりも電池ケース収納部７側に近い領域に第一ガイド面１３を設ければよいのである。
【００３４】
ここで、本実施形態では電池ケース２の中心１６は電池ケース収納部７の空気電池３が収納される略円形状の凹部の円の中心としている。
【００３５】
このようにすることで、第二ガイド面１４を第一ガイド面１３に対して押し当てた状態でスライドさせる場合に、電池ケース２が電池ケース収納部７から引き出される方向に押力が加えられた状態となるので、電池ケース２を電池ケース収納部７から完全に引き出した状態を確実に維持しながら保持部８Ａを電池ケース収納部７に挿入することができる。
【００３６】
すなわち、空気電池３の空気孔４（図６参照）を電池ケース収納部７から完全に引き出して、露出させることができ、このように空気孔４が完全露出した状態で、保持部８Ａを電池ケース収納部７にさらに挿入していくことで、補聴器用保管補助具５の磁石１０Ａが完全に空気孔４を覆うことができるのである。
【００３７】
そして、さらに保持部８Ａの幅は、保持部８Ａが電池ケース収納部７に完全に挿入された状態において、電池ケース収納部７との間に隙間がほぼ生じない大きさとしている。
【００３８】
例えば、本実施形態においては、保持部８Ａの幅は、電池ケース収納部７の電池ケース２から遠い側の端部１７と電池ケース２の第一ガイド面１３までの距離と略同等の大きさとしている。つまり、保持部８Ａの幅は、電池ケース収納部７の開口幅と略同等の幅としているのである。
【００３９】
このようにすることで、例えば、補聴器用保管補助具５を補聴器１に装着した状態で、補聴器乾燥ケース１２（図５参照）に収納保管する場合などのように振動や衝撃が加わったとしても、電池ケース２を電池ケース収納部７から完全に引き出した状態を確実に維持することができる。
【００４０】
つまり、補聴器用保管補助具５の磁石１０Ａが完全に空気孔４を覆う状態を確実に維持することができるのである。
【００４１】
また、図９に示すように補聴器用保管補助具５の保持部８Ａには凹溝１８（空間連結部）が形成されている。この凹溝１８は保持部８Ａの第二ガイド面１４が形成されている面とは異なる面に、保持部８Ａが電池ケース収納部７に挿入される長さ方向に貫通するように形成されている。
【００４２】
例えば、本実施形態においては、図１０に示すように保持部８Ａの第二ガイド面１４が形成されている面と直交する上面側の面１９と下面側の面２０の両面に凹溝１８が形成されている。そして、この上面側の面１９と下面側の面２０の両面に形成された凹溝１８は保持部８Ａが補聴器用保管補助具５の把持部６に接続されている壁部２１を貫通している。ここで、上面側の面１９は、保持部８Ａを電池ケース収納部７に挿入した状態において、空気電池３が補聴器用保管補助具５の磁石１０Ａに吸着される方向の面であって、下面側の面２０は、それと反対方向の面である。
【００４３】
すなわち、図１１に示すように保持部８Ａを電池ケース収納部７に挿入した状態において、補聴器１の内空間と外空間を、凹溝１８を介して繋げており、保持部８Ａによって補聴器１の内空間が外空間に対して略完全に閉塞されてしまうことのないようにしている。つまり、凹溝１８は補聴器１の内空間と外空間とをつなげる空間連結部として機能しているのである。
【００４４】
したがって、補聴器用保管補助具５を補聴器１に装着した状態で、補聴器乾燥ケース１２に収納保管する場合に、補聴器１の内空間の乾燥を妨げることがない。つまり、電子部品や回路基板などが収容されている補聴器１の内空間を、凹溝１８を介して外空間とつなげることによって、補聴器１の内部の乾燥を阻害しないようにできるのである。
【００４５】
また、図７に示すように、保持部８Ａを電池ケース収納部７に挿入した状態において、電池ケース２を蓋部９Ａの下面に設けた磁石１０Ａと挟み込むように台部２２を設けてもよい。
【００４６】
この台部２２には、保持部８Ａを電池ケース収納部７に完全に挿入した状態において、空気電池３の空気孔４が設けられている天面２３と反対側の底面２４を押し上げるように凸部２５が形成されている。
【００４７】
凸部２５は、空気電池３を押し上げる方向から見た場合に、図１１に示すように例えば、略半円形状となっており、その断面は、保持部８Ａを電池ケース収納部７に挿入する方向に段階的に低くなる斜面２６を形成するようにしている。つまり、保持部８Ａを電池ケース収納部７に挿入する場合に、挿入するにつれて空気電池３の底面２４を段階的に高く押し上げるようにしており、空気電池３の底面２４をスムーズに押し上げることができるのである。
【００４８】
この凸部２５によって空気電池３を押し上げ、補聴器用保管補助具５の蓋部９Ａの下面側に配設されている磁石１０Ａに空気電池３を近づけることによって空気電池３は磁石１０Ａの磁力によって吸着され、空気電池３の空気孔４を塞ぐことができる。
【００４９】
さらに、例えば、補聴器用保管補助具５を補聴器１に装着した状態で、補聴器乾燥ケース１２に収納保管する場合などのように振動や衝撃が加わったとしても、空気電池３が磁石１０Ａの磁力に抗して、脱落することを防止することができるのである。
【００５０】
また、電池ケース２の電池挿入底面２７には貫通孔２８が設けられており、保持部８Ａを電池ケース収納部７に完全に挿入した状態において、凸部２５は、貫通孔２８に嵌まり込む形状としている。
【００５１】
例えば、本実施形態においては、凸部２５は、保持部８Ａを電池ケース収納部７に完全に挿入した状態において、空気電池３の底面２４の略中央から貫通孔２８の電池ケース収納部７と反対側の内周面２９に及ぶ範囲に台部２２から突出する形状としている。
【００５２】
そして、保持部８Ａを電池ケース収納部７に完全に挿入した状態において、凸部２５の電池ケース収納部７と反対側の外周面３０は、凸部２５が空気電池３を押し上げた状態で、電池ケース２の貫通孔２８の電池ケース収納部７と反対側の内周面２９の近傍に嵌まり込んでいるのである。
【００５３】
これにより、例えば、補聴器用保管補助具５を補聴器１に装着した状態で、補聴器乾燥ケース１２に収納保管する場合などのように振動や衝撃が加わったとしても、電池ケース２が所定の範囲以上に動くことを防止している。つまり、磁石１０Ａと空気電池３の空気孔４の位置関係を所定の範囲内に維持することができるのである。
【００５４】
なお、本実施形態では、補聴器用保管補助具５は例えば、弾性材料である硬度が９０度程度のシリコン樹脂を成型して把持部６、保持部８Ａ、蓋部９Ａ、および台部２２の凸部２５などを一体形成しており、これにより、各部の機能に必要な弾性と剛性をバランスよく確保している。例えば、保持部８Ａを電池ケース収納部７に挿入するときには、その弾性を活かして挿入され、保持部８Ａを電池ケース収納部７に挿入した後は適度な剛性でその状態を維持できるようにしているのである。
【００５５】
以上のように本実施形態においては、把持部６を持って保持部８Ａを、補聴器１から電池ケース２が引き出された状態の電池ケース収納部７に挿入すれば、蓋部９Ａによって、電池ケース収納部７から引き出された電池ケース２に収納された空気電池３の空気孔４側を覆うことが出来るので、補聴器１から空気電池３を取り出すことなく、空気電池３の空気孔４を塞ぐことができる。
【００５６】
すなわち、把持部６を持って保持部８Ａを電池ケース収納部７に挿入するだけで空気電池３の空気孔４を塞ぐことができ、空気電池３を取り出すなどの細かな作業を必要としないので、使い勝手を向上させることができるのである。
【００５７】
なお、本実施形態では一方の補聴器１に対して補聴器用保管補助具を使用する場合について説明したが、これに限定されるものではない。実施形態１と同様に把持部６の外周で、保持部８Ａ、蓋部９Ａと対称となる位置に保持部８Ａ、蓋部９Ａと一対の保持部および、蓋部を備え、両耳用に２台の補聴器１を使用している使用者には、これら２台の補聴器１を同時に補聴器用保管補助具５に装着できるようにしてもよい。
【産業上の利用可能性】
【００５８】
以上のように本発明は、把持部を持って保持部を、前記補聴器から電池ケースが引き出された状態の電池ケース収納部に挿入すれば、蓋部によって、前記電池ケース収納部から引き出された電池ケースに収納された空気電池の空気孔側を覆うことが出来るので、補聴器から空気電池を取り出すことなく、空気電池の空気孔を塞ぐことができる。
【００５９】
つまり本発明においては、把持部を持って保持部を電池ケース収納部に挿入するだけで空気電池の空気孔を塞ぐことができるので、細かな作業は不要で、その結果として、使い勝手を向上させることが出来るのである。
【００６０】
したがって、補聴器用保管補助具としての活用が期待される。
【符号の説明】
【００６１】
１  補聴器
２  電池ケース
３  空気電池
４  空気孔
５  補聴器用保管補助具
６  把持部
７  電池ケース収納部
８Ａ,８Ｂ  保持部
９Ａ、９Ｂ  蓋部
１０Ａ、１０Ｂ  磁石
１１Ａ、１１Ｂ  磁石
１２  補聴器乾燥ケース
１３  第一ガイド面
１４  第二ガイド面
１５  回転軸
１６  中心
１７  端部
１８  凹溝
１９  上面側の面
２０  下面側の面
２１  壁部
２２  台部
２３  天面
２４  底面
２５  凸部
２６  斜面
２７  電池挿入底面
２８  貫通孔
２９  内周面
３０  外周面
【図１】
2014045477.tif 000003
【図２】
2014045477.tif 000004
【図３】
2014045477.tif 000005
【図４】
2014045477.tif 000006
【図５】
2014045477.tif 000007
【図６】
2014045477.tif 000008
【図７】
2014045477.tif 000009
【図８】
2014045477.tif 000010
【図９】
2014045477.tif 000011
【図１０】
2014045477.tif 000012
【図１１】
2014045477.tif 000013